(57)【要約】  ペニスに対する刺激や締め付け力の元となる圧力源として、コア部材と容器との間に形成される非閉空気室内の空気の圧力を利用することによって、適正圧による変化に富んだ刺激、締め付け力を得ることができる射精促進具、及び射精促進装置を提供する。挿入口（３３）と挿入空所（３５）を備えたコア本体（３１）と、コア本体の外周面に所要の間隔を隔てて突設されて互いに略同方向へ延びる複数の第１のリブ（４０）と、を備え、コア本体の外径の膨張時には、流路Ｆを流れる空気に対する抵抗となりつつ該流路に沿った空気の通過を許容する空気抵抗部材（５０）を備えた。
2016067333.tif 000002
【特許請求の範囲】
【請求項１】
少なくとも軸方向一端面が開口した容器本体内に収容され、軸方向一端面の挿入口から内部に延びる挿入空所を有したゲル状樹脂製の射精促進具であって、
前記挿入口、及び前記挿入空所を備えたコア本体と、該コア本体の外周面に所要の間隔を隔てて突設されて互いに略並行に延びる複数の第１のリブと、を備え、
前記各第１のリブは、少なくとも前記コア本体の膨張時には前記容器本体内壁と接触して隣接する前記第１のリブとの間に前記軸方向、又は、軸方向に対して傾斜した方向へ延びる流路を形成し、
前記流路内には、前記コア本体の外径の膨張時に、空気の移動に対する抵抗となりつつ該流路に沿った空気の通過を許容する空気抵抗部材が配置されていることを特徴とする射精促進具。
【請求項２】
前記空気抵抗部材は、前記コア本体の外周面に所要の間隔を隔てて突設されて前記第１のリブと交差する複数の第２のリブであることを特徴とする請求項１に記載の射精促進具。
【請求項３】
前記各第１のリブは、前記コア本体の軸方向、又は該軸方向に対して傾斜した方向へ延びることを特徴とする請求項１又は２に記載の射精促進具。
【請求項４】
隣接し合う前記第１のリブ間の間隔は、前記挿入口を設けた一端面とは反対側の端面側において最も狭くなっていることを特徴とする請求項１乃至３の何れか一項に記載の射精促進具。
【請求項５】
前記第空気抵抗部材の前記コア本体外周面からの突出長は、前記第１のリブの突出長よりも短いことを特徴とする請求項１乃至４の何れか一項に記載の射精促進具。
【請求項６】
請求項１乃至５の何れか一項に記載の射精促進具と、軸方向一端面の開口内に前記該射精促進具を収容する容器本体と、を備えたことを特徴とする射精促進装置。
【請求項７】
前記容器本体の外周面の少なくとも一部に小径部を設けたことを特徴とする請求項６に記載の射精促進装置。
【請求項８】
前記容器本体に抜気用の穴を設けたことを特徴とする請求項６又は７に記載の射精促進装置。
【発明の詳細な説明】
【技術分野】
【０００１】
本発明は射精促進具、及び射精促進装置に関し、特に医学的な研究、治療のための要請や、性犯罪防止、売春防止、及び性病の蔓延防止等の社会的な要請に基づいて従来から使用されてきた射精促進具、及び射精促進装置の改良に関するものである。
【背景技術】
【０００２】
医学的な研究や治療上の必要から、男性の精子を採取するための射精促進装置（精子採取装置）が種々提案されている。例えば、夫婦間の不妊の原因を究明するために採取した精子から夫の性機能を検査したり、性機能障害を治療したり、人工授精のために精子を確保、保管する等の医学的な必要性のために射精促進装置が使用される。更に、個人的な性的欲求を解消させることによる性犯罪の予防、売春防止、性病感染者数の減少等の種々の社会的なニーズを満たすためにも、従来から低廉に入手することができ、しかも使い捨てタイプ、或いは洗浄可能なタイプであるために衛生上、健康上の問題も惹起しない簡易な射精促進装置が知られている。
例えば、特許文献１（特許第４８７８３４６号（国際公開第２００６／１３２１２５パンフレット））には、長手方向一端が開口した筒状の容器本体と、容器本体内に収容され、長手方向一端の挿入口から内部に延びる挿入空所を備えたゲル状の樹脂製のコア部材とから成る射精促進装置が開示されている。【０００３】
この射精促進装置は、コア部材を構成するコア本体の外周面にメッシュ状に複数のリブを突設させることにより、コア本体外面と、複数のリブと、容器本体内壁との間に密閉空所を複数個形成し、これらの密閉空所がもたらすエアクッション機能によってコア本体内部のペニスを加圧して刺激を高めるようにしている。
しかし、この射精促進装置にあっては、コア本体の挿入空所内にペニスを圧入してコア部材を膨張させた時に容器本体内壁との間に完全に気密化された密閉空間が複数個形成されるため、挿入空所の内壁からペニスに加わる圧力が過大となり易い。このため、この圧力がペニスの自由な動作に対する抵抗となり、挿入空所内においてスムーズにペニスを往復移動（摺擦）させることが難しくなり、摺擦による効果的な刺激をペニス先端部（亀頭）に与えることが難しくなる、という問題点が指摘されている。
また、密閉空間からペニスに加わる空気圧力が過大であることにより、健常な青年男子に比べて刺激に弱い老人、身体障害者等がこの種の採取装置を使用する場合に、本人に適さない強い刺激を受けて射精促進、精子採取という目的を達成できなくなる虞がある。【０００４】
また、上記密閉空間に起因して発生する内圧に抗して無理にペニスを摺擦させ続けると、逃げ場を失った挿入空所内の空気が挿入空所の挿入口とペニスとの間から抜気してしまい、挿入空所内を真空に近い状態に移行させる、という問題がある。挿入空所内から空気が抜けて真空状態になると、挿入空所内壁がペニス外面に密着（吸着）し過ぎて摺擦が不可能となるため、一旦ペニスを挿入空所から抜き取って挿入をやり直す必要が生じる。挿入空所内に潤滑剤を充填しておいてもこの不具合は発生している。このような挿入のやり直しを頻繁に必要とする操作は、ユーザーに不満感を与え、射精する意欲を喪失させる等、商品価値を低下させる原因となる。
また、コア部材を構成する材料であるゲル状樹脂は高価であるため、その使用量を削減することが低コスト化に貢献することが明らかであるが、コア本体の外面にメッシュ状に交差した状態でリブを配置すると、リブの分だけゲル状樹脂の使用量が増大し、製造コスト削減を妨げる要因となっている。【０００５】
特許文献２（特開平１０−９９３６１号（米国特許第５，８０７，３６０号明細書））に開示された精液採取装置では、ゲル状の挿入体の外面に軸方向へ延びるリブが複数本並行に配置されており、挿入体内部にペニスを挿入して膨張させた時に各リブと容器内壁との間には軸方向へ延びる長尺な空間が複数形成される。しかし、この空間は挿入体先端部で開放しており、非密閉空間であることが明らかである。また、この非密閉空間内には空気の移動を妨げる障害物が存在しないため、ペニスを挿入することにより非密閉空間内で発生する空気流は挿入体の長手方向に沿って迅速に流動する。
このような挿入体を容器内に収納した状態で挿入体内にペニスを挿入して摺擦を行うと、この細長い空間内の空気がペニス先端部により押圧され、ペニス先端部に先行してペニス先端部よりも更に先端側に迅速に移動する。このため、ペニス先端部の外周に相当する空間の部位の空気は常に先方に押し出された状態にあり、この空間部分には空気が溜まった状態とはならない（ペニス先端部に充分な圧力が加わらない）。このため、ペニスの先端部に対してエアクッション（空気圧）による刺激を与えることが困難となることが明らかである。
また、特許文献２の精液採取装置は、ゲル状の挿入体の先端部に穴が開口しているため、挿入体内部に射出された精液がこの穴から容器内に排出され、挿入体外面、及び容器が汚損され、洗浄が面倒となる。
【先行技術文献】
【特許文献】
【０００６】
【特許文献１】特許第４８７８３４６号（国際公開第２００６／１３２１２５パンフレット）
【特許文献２】特開平１０−９９３６１号（米国特許第５，８０７，３６０号明細書）
【発明の概要】
【発明が解決しようとする課題】
【０００７】
本発明は上記に鑑みてなされたものであり、ペニスに対する刺激や締め付け力の元となる圧力源として、コア部材と容器との間に形成される非閉空気室（非気密性の空気溜まり）内の空気の圧力（抜気による調整可能な空気圧）を利用することによって、適正圧による変化に富んだ刺激、締め付け力を得ることができる射精促進具、及び射精促進装置の提供を目的としている。
つまり、抜気することができない密閉空間では得られない非閉空気室を利用した抜気による空気圧調整能力、即ち適正な空気圧を利用することで、ペニスに対する加圧力を過大化することなく、使用者が使用者の好みに合わせて、圧力調整や、変化を任意に行うことが出来るようになる。
つまり、コア部材と容器との間に複数の密閉空間が形成された場合に生じる不具合であるペニスに対する過剰な刺激や、コア部材内の空気の漏出による使用不能、挿入操作のやり直しといった不具合を解消することを目的としている。
また、非閉空気室を形成する第１リブ、及び空気抵抗部材（第２のリブ）のうちの空気抵抗部材の使用材料を減少させることによりコストダウンを効果的に実現することを目的としている。
また、空気抵抗部材の使用材料を第１のリブよりも減少させているため、コア部材全体の体積が減少し、コア部材を容器に出入れする作業が容易となる。このため、使用後に洗浄してから再度容器内に装着して再使用するという繰り返しが可能となり、経済的となる。
【課題を解決するための手段】
【０００８】
上記目的を達成するため、本発明に係る射精促進具は、少なくとも軸方向一端面が開口した容器本体内に収容され、軸方向一端面の挿入口から内部に延びる挿入空所を有したゲル状樹脂製の射精促進具であって、前記挿入口、及び前記挿入空所を備えたコア本体と、該コア本体の外周面に所要の間隔を隔てて突設されて互いに略並行に延びる複数の第１のリブと、を備え、前記各第１のリブは、少なくとも前記コア本体の膨張時には前記容器本体内壁と接触して隣接する前記第１のリブとの間に前記軸方向、又は、軸方向に対して傾斜した方向へ延びる流路を形成し、前記流路内には、前記コア本体の外径の膨張時に、空気の移動に対する抵抗となりつつ該流路に沿った空気の通過を許容する空気抵抗部材が配置されていることを特徴とする。
本発明に係る射精促進装置は、上記射精促進具と、軸方向一端面の開口内に前記該射精促進具を収容する容器本体と、を備えたことを特徴とする。
【発明の効果】
【０００９】
本発明によれば、ペニスをコア本体内に挿入した際に膨張したコア本体と容器本体内壁との間に過大な空気圧力が発生してペニスに対して過大な圧力を加えて射精という目的を阻害させる原因となったり、或いはコア本体の内圧の過大な上昇によってペニスと挿入空所の挿入口との間から空気が漏出する不具合を解消することができる。
【図面の簡単な説明】
【００１０】
【図１】（ａ）（ｂ）及び（ｃ）は本発明の一実施形態に係る射精促進装置の先端側からの外観斜視図、後端側からの外観斜視図、及びキャップを取り外した状態での容器本体及びコア部材を示す外観斜視図である。
【図２】（ａ）（ｂ）（ｃ）及び（ｄ）は射精促進装置の正面図、上面図、底面図、及びＡ−Ａ’断面図である。
【図３】（ａ）及び（ｂ）は一実施形態に係るコア部材（射精促進具）の先端側斜視図、及び後端側斜視図である。
【図４】（ａ）乃至（ｇ）は、コア部材の正面図、左側面図、右側面図、背面図、上面図、底面図、及びＢ−Ｂ’断面図である。
【図５】（ａ）及び（ｂ）はコア部材を容器本体内に捻りながら挿入する手順を示した説明図である。
【図６】（ａ）はコア部材（射精促進具）の正面図であり、同図（ｂ−１）及び（ｂ−２）は挿入空所内に挿入物を挿入していない状態を示すＡ−Ａ’断面図、及びＢ−Ｂ’断面図であり、（ｃ−１）及び（ｃ−２）は挿入空所内の中間部まで挿入物を挿入した状態を示すＡ−Ａ’断面図、及びＢ−Ｂ’断面図であり、（ｄ−１）及び（ｄ−２）は挿入空所の奥部に挿入物を挿入した状態を示すＡ−Ａ’断面図、及びＢ−Ｂ’断面図であり、（ｅ−１）及び（ｅ−２）は挿入空所の最奥部に挿入物を挿入した状態を示すＡ−Ａ’断面図、及びＢ−Ｂ’断面図である。
【図７】本発明の第２の実施形態に係る射精促進具の要部構成説明図であり、（ａ）は正面図、（ｂ）は上面図、（ｃ）は底面図、（ｄ）（ｅ）は何れも斜視図、（ｆ）はＡ−Ａ’断面図である。
【図８】本発明の第２の実施形態の変形例に係る射精促進具の要部構成説明図であり、（ａ）は正面図、（ｂ）は上面図、（ｃ）は底面図、（ｄ）（ｅ）は何れも斜視図、（ｆ）はＡ−Ａ’断面図である。
【図９】（ａ）及び（ｂ）は本発明の第３の実施形態に係る射精促進具の要部構成説明図である。
【発明を実施するための形態】
【００１１】
＜第１の実施形態＞
（基本的な構成）
以下、本発明を図面に示した実施形態により詳細に説明する。
図１（ａ）（ｂ）及び（ｃ）は本発明の一実施形態に係る射精促進装置の先端側からの外観斜視図、後端側からの外観斜視図、及びキャップを取り外した状態での容器本体及びコア部材を示す外観斜視図である。図２（ａ）（ｂ）（ｃ）及び（ｄ）は射精促進装置の正面図、上面図、底面図、及びＡ−Ａ’断面図である。図３（ａ）及び（ｂ）は一実施形態に係るコア部材（射精促進具）の先端側斜視図、及び後端側斜視図である。図４（ａ）乃至（ｇ）は、コア部材の正面図、左側面図、右側面図、背面図、上面図、底面図、及びＢ−Ｂ’断面図である。
この射精促進装置（精子採取装置）１は、長手方向（軸方向）一端面が開口し外周面適所（中間部）に小径部３Ｃを有した筒状の容器本体３、及び容器本体３の開口部４に着脱してこれを開閉するキャップ５から成る容器２と、容器本体３内に収容され、長手方向（軸方向）一端面の挿入口３３から内部に延びる挿入空所３５を有したゲル状樹脂製のコア部材（射精促進具）３０と、を備えている。
【００１２】
容器本体３は、所要肉厚の樹脂材料から構成されており、長手方向両端部（大径部３Ａ、３Ｂ）の外径よりも中間部（小径部）３Ｃの外径が小さい非円筒体である。大径部３Ａと中間部３Ｃとの連結部の形状、及び、大径部３Ｂと中間部３Ｃとの連結部の輪郭形状は、円弧状（曲線状）となっている。
容器本体３の他端部３ａには必要に応じて抜気用の小孔（抜気用の穴）３ｂを形成しておき、未使用時には図示しないシールにより封止しておく。使用時には、シールを除去し、使用中に指で小孔３ｂを閉じたり開放することにより、コア部材内壁とペニスとの間の密着度、密着感（吸付き感、吸引感）を調整することができる。即ち、小孔３ｂを塞いだ状態ではペニスがコア部材内壁に密着するため締め付け力が強くなり、小孔を開放した状態では締め付け力が弱くなる。このように小孔を開閉するだけの簡単な操作によって、締め付け力（大気圧との圧力差）を変化させて刺激を変化させることが可能となる。また、ペニスに痛みを感じる場合には、小孔を開けばよい。
【００１３】
これを更に詳述すると、小孔３ｂを開放した状態で挿入口３３からペニスを挿入空所３５内に挿入すると、コア部材は本来の柔軟性を維持することができるため（変形自在なため）、ペニスは挿入空所内をスムーズに進退することができる。
一方、小孔を開放した状態でペニスを挿入空所３５内に挿入した後で、小孔３ｂを塞いでペニスを挿入口３３側へ移動させると、挿入空所内壁がペニス外面に吸着する所謂バキュームという現象が起きる。バキューム状態では、ペニスが挿入空所内壁と吸着するため、ペニスを挿入空所内でスムーズに進退させにくくなるが、吸着感を得ることができる。
コア部材（射精促進具）３０は、エラストマーのような粘性を有したゲル状の樹脂、或いはゲル状のゴム等から構成された略袋状体であり、その挿入側端面には大径のフランジ（環状リブ）３７を備えると共に、小径の挿入口３３の内部には挿入口よりも大径の挿入空所３５が連通して形成されている。挿入空所３５内には任意の配置にて突起、襞等３９が形成されている。挿入空所３５内には潤滑液としてのローション等を適量予め充填しておく。
【００１４】
図２（ｄ）に示すようにコア部材のフランジ３７は、後端に位置する第１フランジ３７ａと、先端寄りに位置する第２フランジ３７ｂと、両フランジの間に位置する凹所３７ｃと、を有する。
開口部４の開口端縁に係止したリング状の係止部材１０の内径側の凸部１０ａをコア部材の凹所３７ｃ内に嵌合させることにより、コア部材は容器本体の開口端縁に対して固定される。凹所３７ｃは階段状となっており、係止部材１０の内径側の凸部１０ａも階段状となっているため、階段状の部分同志がかみ合うことにより、係止部材１０によってコア部材のフランジ３７を確実に係止し、使用中にコア部材が容器本体内に落ち込んだり、容器本体外へ脱落することを防いでいる。
なお、容器本体に小径の中間部３Ｃを設けた場合には、コア部材内のペニスとくびれ部との間の圧力によりコア部材が容器本体側に固定されるため、コア部材が容器本体の開口から抜け出ることを確実に防止できる。
フランジの凹所３７ｃと係止部材１０とは固定されていないため、コア部材は容器本体から着脱することができる。このため、容器本体から取り出したコア部材を単体で洗浄に供してから容器本体内に戻して清潔な状態で再使用することが可能となる。
【００１５】
コア部材（射精促進具）３０は、次の如き特徴的な構成を有する。
即ち、コア部材３０は、挿入口３３と挿入空所３５を備えたコア本体３１と、コア本体３１の外周端縁に所要の間隔を隔てて突設されて互いに略同方向へ（ほぼ並行して）延びる複数の第１のリブ４０と、該コア本体の外周面（第１のリブ間）に所要の間隔を隔てて突設されて前記第１のリブ４０と交差する複数の第２のリブ（空気抵抗部材）５０と、を備える。各第１のリブ４０と第２のリブ５０とは、外観視で網目状に交差するようにしてもよいが、流路内の適所に空気抵抗をもたらす突起である第２のリブ（空気抵抗部材）が配置されていればよく、網目を構成しなくてもよい。
更に、各第１のリブ４０は、コア本体３１の外径の膨張時には容器本体内壁と接触して隣接する第１のリブ４０との間に軸方向、又は、軸方向に対して傾斜した方向へ延びる流路Ｆを形成する。第１のリブ４０は、正面視で直線状であってもよいし、湾曲線状、或いは波形、ジグザグ状等々、任意の形状とすることができる。
コア本体の非膨張時に第１のリブは容器本体内壁と接触していてもよい。ただ、コア部材を容器内に出入れ自在に構成するには、コア本体の非膨張時には第１のリブは容器本体内壁から離間しやすい構成とする方がよい。
【００１６】
また、第２のリブ（空気抵抗部材）５０は、コア本体３１の外径が膨張して第１のリブが容器内壁と接触した時（流路Ｆの形成時）においても、第２のリブの外側端縁（外周面）と容器本体内壁との間に流路Ｆに沿った隙間、或いは変形することにより抜気可能な接触部を形成するように構成されている。言い換えれば、第２のリブ５０は、コア本体の膨張によって第１のリブが容器内壁と密着した時に、当該第１のリブの密着部分と、コア本体外周面と、隣接する他の第２のリブと、容器本体内壁との間で非閉空気室Ｓを形成する。
第２のリブ５０は、コア本体の外径が膨張して第１のリブの外側端縁が容器内壁に密着して流路を形成した時には、流路Ｆを流れる空気に対する抵抗となりつつ、流路に沿った空気の通過を許容するように構成されている。本例では、第２のリブの突出長（コア本体外周面からの突出長）を第１のリブ４０の突出長よりも短くすることにより上記機能を発揮させるように構成したが、第１のリブと突出長を同じにしつつ、弾性変形し易い形状、例えば薄肉状に構成してもよい。第２のリブを第１のリブよりも弾性変形し易くすることにより、流路を流れる空気に対する抵抗となりつつ、周辺の空気圧が高まった場合には弾性変形して容器本体内壁から離間する安全弁として機能することができるからである。
なお、第１のリブは、ペニスを挿入空所の後端側から挿入する過程でコア本体が膨張してゆくことにより順次容器内壁と未着することにより後端側から順次流路Ｆを形成するため、非閉空気室Ｓも後端側から順次形成されてゆき、最後には流路の軸方向ほぼ全長にわたって非閉空気室が形成される。
【００１７】
第１のリブ４０は、コア本体３１の後端側（第２のフランジ３７ｂ）から始まって先端側まで延在しており、隣接する各第１のリブの先端部間は開放している。図３、図４に示すように各第１のリブの先端部間の間隔は流路本体の幅よりもかなり狭くなっている。
従って、ペニスを挿入口から挿入空所内部に向けて移動させた時にコア本体の膨張により流路Ｆ内の空気は後端側から先端側へ流動しようとするが、流路内に所要間隔で配置された第２のリブ５０によりスムーズな移動が妨げられると共に、幅が大幅に狭くなっている流路先端部においても空気は一時的に滞留する（移動速度が低下する）。
即ち、本例に係るコア部材３０は、挿入口３３と挿入空所３５を備えたコア本体３１と、コア本体３１の外面から突設して互いに（網目状に）交差する複数のリブ４０、５０と、を備え、コア本体３１の膨張時には第１のリブ４０の外側端縁が容器本体３の内壁に接触することにより、コア本体外面と、複数の第１のリブ４０と、容器本体内壁との間で略軸方向へ延びる流路Ｆを形成するものである。第１のリブ４０が容器本体の内壁に密着した状態では、流路Ｆ間は第１のリブにより閉塞されている。つまり、コア本体膨張時の各流路Ｆは、周方向への空気の流通を阻害する空間を構成する。
なお、各第１のリブ４０は、コア本体が全長にわたって膨張した時に容器本体内壁に全長にわたって密着することが好ましいが、厳密な意味で流路Ｆ間を気密的に遮蔽する必要はない。つまり、第１のリブの外周端縁と容器本体内壁との間に部分的に形成される凹所、穴、隙間によって流路Ｆ間が若干連通することは問題ない。つまり、流路Ｆ内の大半の空気が、ペニス挿入時、ペニス摺擦時に、個々の流路内に沿って移動すればよく、多少の漏出は差し支えない。
【００１８】
図示した実施形態では、第１のリブ４０は、コア本体の軸方向に対して傾斜した方向、本例では螺旋状に延びている。第１のリブを螺旋状とするメリットは、コア部材３０を容器本体３に挿入する際に、図５（ａ）（ｂ）に示したようにコア部材全体を捻ることにより螺旋状に収縮変形させて容器本体の開口部４内に挿入し易くなる点にある。即ち、第１のリブが軸方向にストレートに延びている場合には、コア部材をその軸心を中心として捻ろうとしても軸方向へ延びる第１のリブが抵抗となって捻りにくいが、第１のリブが螺旋状（軸方向と斜めに交差する方向）へ延びている場合には、コア部材全体が捻り方向へ変形し易くなっているため、コア部材全体を捻ってその径方向寸法を収縮させることができる。このため、開口部４から挿入し易くなる。容器本体内に収容されたコア部材を取り出す場合にも、コア部材を捻って収縮させながら抜き取ることにより取出し作業が容易となる。容器本体の中間部３Ｃがくびれ状に小径となっている場合には特にコア部材の出し入れが困難となるが、このように捻ることによって縮径することができれば、出し入れが容易となる。
【００１９】
また、図示説明はしないが、コア部材を容器本体に挿入する際に、片手で把持したコア部材を容器本体内に差し込んでから容器本体側を回転させることによってもコア部材を容器本体内に容易に挿入することができる。即ち、コア部材の先端部が容器本体の小径部３Cに達した段階で引っ掛かりを起こしてそれ以上先方に進みにくくなるが、この段階で容器本体を回転させることによってコア部材を図５に示した方向に捻ることにより、コア部材全体の径方向寸法を収縮させることができる。このため、開口部４から挿入し易くなる。
つまり、コア部材を使用者の手により捻っても良いし、容器本体側を回転させることによりコア部材を捻るようにしてもよい。
【００２０】
各第２のリブ（空気抵抗部材）５０は、第１のリブ４０に対して網目（複数の非閉空気室Ｓ）を形成するように交差しているが、コア本体３１の外周面からの突出長（外径方向寸法）が、第１のリブ４０の突出長よりも短いため、コア本体が膨張することによって第１のリブが容器本体内面に接触したとしても、第２のリブ５０は容器本体内面と完全には接触しない。仮に、第２のリブ５０の外周端縁が容器本体内壁に対して部分的に（或いは、軽い力で全体的に）接触（近接）することがあっても、同じ流路Ｆ内にある複数の非閉空気室（非密閉空間）Ｓ間の空気の流通を著しく阻害しない程度の接触となるように構成する。
つまり、第２のリブ５０の突出長、肉厚、形状は、コア本体３１の膨張時に、個々の流路Ｆ内における空気の自由な移動が第２のリブ５０によって阻害されて個々の非閉空気室Ｓ内の圧力を一時的に高めるように作用するように構成するが、同じ流路内にある空所間の空気の移動はあくまで可能な状態にある。
言い換えれば、ペニス挿入によるコア本体の膨張時に第２のリブ５０と容器本体内面との間の距離が狭まる、或いは軽く接触することにより、第２のリブが同じ流路内の複数の非閉空気室間の空気の移動に対する軽度の障害となって個々の非閉空気室Ｓの内圧を一時的に高める。しかし、挿入空所３５内でのペニスの往復動作に伴う個々の非閉空気室の内圧の増減、変化により、同じ流路Ｆ内にある非閉空気室Ｓ内の空気は第２のリブを越えて隣接する他の非閉空気室Ｓ内へ移動することができる。また、個々の流路Ｆの長手方向先端部は連通しているため、容器本体内での空気の軸方向（傾斜方向、螺旋方向を含む）への流動は確保される。特に、容器本体の小孔３ｂを開放した状態では、流路の先端部から抜けた空気は容器外へ排出されてコア部材と容器本体内壁との間の内圧を低下させる。
【００２１】
容器本体の小孔３ｂを閉塞した状態でペニスを挿入すると、各流路内に先端へ向かう空気流が発生するが、各流路の先端部から抜けた空気（抜けようとする空気）は容器外への逃げ場がないため、流路内を後方へ向けて逆流し流路内に充満する。
小孔３ｂを開放させた状態で挿入空所内にペニスを挿入して容器本体の最奥部に押し込んだ後で、後方に戻す操作を行うと、小孔３ｂから吸引された空気が隣接する各第１のリブ間の空間（流路Ｆとなる空間）内に逆流して充填される。一方、小孔３ｂを閉鎖した状態で既挿入のペニスを後方に戻す操作を行った場合には、コア部材と容器本体内壁との間の空間が気密空間であるため、ペニスがそれまで存在していた挿入空所先端部内が真空化し（収縮し）、収容空所内面がペニス外面に吸着する。
次に、容器本体３は、長手方向両端部の外径よりも中間部（小径部）３Ｃの外径が小さい瓢箪の如き形状であるため、ペニスの先端部が中間部３Ｃに対応して狭くなっている挿入空所内を通過する際に、ペニス先端部に対してコア本体を介して容器本体から加わる圧力が強くなる。この強い加圧力を緩和する手段（安全弁）として第２のリブ５０が機能する。なお、小径部３Ｃの位置は、容器本体の長手方向中央部である必要はなく、長手方向中央部よりも後方、或いは先方に偏った位置であってもよい。
この容器本体３は小径部３Ｃを有しているため、小径部３Ｃに対応するコア部材の中間部分は小径となっている。
第１のリブ４０の外側端縁は、挿入空所３５内にペニスを挿入しない状態では容器本体内壁と密着していなくてもよく、挿入によるコア本体の膨張時に連動して第１のリブの外側端縁が容器本体内壁と密着して流路Ｆを形成するように構成すれば足りる。この時、コア本体外面と、各リブ４０、５０と、容器本体内壁との間で複数の非閉空気室Ｓが形成される。
【００２２】
（流路、及び非閉空気室の形成手順）
次に、図６に基づいて流路、及び非閉空気室が形成される手順を説明する。
図６（ａ）はコア部材（射精促進具）の正面図であり、同図（ｂ−１）及び（ｂ−２）は挿入空所内に挿入物を挿入していない状態を示すＡ−Ａ’断面図、及びＢ−Ｂ’断面図であり、（ｃ−１）及び（ｃ−２）は挿入空所内の中間部まで挿入物を挿入した状態を示すＡ−Ａ’断面図、及びＢ−Ｂ’断面図であり、（ｄ−１）及び（ｄ−２）は挿入空所の奥部に挿入物を挿入した状態を示すＡ−Ａ’断面図、及びＢ−Ｂ’断面図であり、（ｅ−１）及び（ｅ−２）は挿入空所の最奥部に挿入物を挿入した状態を示すＡ−Ａ’断面図、及びＢ−Ｂ’断面図である。
図６（ｂ−１）及び（ｂ−２）は挿入空所内に挿入物を挿入していない状態を示しており、第１のリブ４０の外側端縁（外周縁）は、（ｂ−２）に示すように容器本体内壁から離間しているか、或いは軽く接触している。この時には、流路Ｆも非閉空気室Ｓも形成されていない。
次に（ｃ−１）及び（ｃ−２）のように挿入物Ｐを挿入口３３から挿入しその先端部が断面位置であるＢ−Ｂ’に達すると、コア本体の挿入空所３５は挿入物によって押し広げられて拡径するが、コア本体の外周面はさほど膨張しないため、各第１のリブ４０の外側端縁（外周縁）の位置に大きな変化はなく、流路Ｆも非閉空気室Ｓも形成されていない。なお、これは一例であり、この時点で位置Ｂ−Ｂ’に流路、非閉空気室が形成されるようにしてもよい。
【００２３】
次いで、（ｄ−１）及び（ｄ−２）のように挿入物Ｐの先端部が断面位置Ｂ−Ｂ’を越えて挿入物本体の外周面（大径部）が断面位置Ｂ−Ｂ’に達すると、コア本体が全体として膨張するため位置Ｂ−Ｂ’に相当する位置にある全ての第１のリブ４０の部位は容器本体内壁に圧接して密着状態となる。このため、位置Ｂ−Ｂ’に相当する部分には流路Ｆが形成される。また、位置Ｂ−Ｂ’の周辺に位置する第２のリブ（空気抵抗部材）５０の外側端縁（外周縁）も外径方向へ変位して容器本体内壁に近接、或いは軽く接触する。このため、位置Ｂ−Ｂ’の周辺に非閉空気室Ｓが形成される。
次いで、（ｅ−１）及び（ｅ−２）のように挿入物Ｐが最奥部に達した状態では、コア部材は最大限に拡径、膨張しており、位置Ｂ−Ｂ’の周辺に相当する各流路Ｆ内に非閉空気室Ｓが形成された状態となっている。実際には、この時点では位置Ｂ−Ｂ’の周辺のみならず、挿入物Ｐの軸方向全長に沿った外径方向には流路、非閉空気室が形成された状態となる。
なお、（ｅ−１）及び（ｅ−２）に図示したようにコア部材の先端部が容器本体の先端内壁に接触した状態であっても、全ての流路Ｆの先端部は小孔３ｂと連通している。従って、ペニスの挿入によってコア部材が膨張することにより全ての流路から先端に向けて流れる空気流は開放状態にある小孔３ｂから外部に排出されることとなる。つまり、第１のリブの先端部（流路の先端開口部）は、コア部材を容器本体内に収容した時に、小孔３ｂと連通するように設計される。
なお、図示した例では（ｄ−１）及び（ｄ−２）の段階で第２のリブ５０の外側端縁は容器本体内壁と離間しているが、第２のリブの外側端縁が容器本体内壁と軽く接触することにより、非閉空気室の内圧上昇時に容易に退避、変形して抜気させるように構成してもよい。この場合には、第２のリブを薄肉化する等、弾性変形を容易にしておけばよい。
なお、上記では説明の便宜上、断面位置Ｂ−Ｂ’のみにおける各リブの変形パターンを図示説明したが、断面位置Ｂ−Ｂ’以外の各軸方向位置においても挿入物の進行、進退に応じて各リブは同様の変形パターンを示すことにより流路Ｆ、非閉空気室Ｓを形成したり、これらを解消するものである。
【００２４】
次に、小孔３ｂを開放した状態での操作と、閉止した状態での操作について説明する。
まず、容器本体を把持した使用者が小孔３ｂを開放した状態で、容器本体３内にセットされたコア部材３０の挿入口３３からペニスを挿入空所３５内に挿入すると、コア部材が後端側から先端側へ向けて順次外径方向へ膨張、拡径してゆく（図６（ｃ−１）及び（ｃ−２）乃至（ｅ−１）及び（ｅ−２））。このため、コア部材の後端側から先端側へ向けて順次非閉空気室Ｓが形成されてゆく。即ち、ペニス先端部が後願側から先端側へ移動する過程で、後端側の非閉空気室Ｓ内の空気はペニスによる圧力により先端側へ流動し、順次隣接する非閉空気室Ｓへ移動してゆき、最後には流路Ｆの先端部の狭い開放部から排出されて開放された小孔３ｂから容器本体外へ排出される。ただ、各非閉空気室内の空気はペニスからの圧力により完全に抜ける訳ではなく、第２のリブが有する空気抵抗力に応じて非閉空気室内の空気圧を適正に維持することができるため、エアクッション機能（ペニスに対する加圧力）を維持することができる。
続けてペニスを後端側へ戻す操作（図６（ａ−１）乃至（ｅ−１）とは逆の順序）を行うと、挿入空所３５内をペニスが後端側へ移動するのでコア部材は外径を縮小させる。このため、第１のリブ４０が容器本体内壁から離間し、且つ小孔３ｂから外気が容器本体内に導入される。この時、第１のリブと容器本体内壁との間で形成されていた流路Ｆが解消された状態となり、第１のリブ間に沿って外気が後端側へ流入してくる。
このように小孔３ｂを開放した状態では、コア部材本来の柔軟性を維持することができるので、挿入空所内におけるスムーズな操作（コア本体に対するペニスの相対移動）が可能となり、非閉空間Ｓが発揮するエアクッション機能によりペニスに対する適度な刺激を付与することができる。
【００２５】
次に、小孔３ｂを開放した状態でペニスを挿入空所内に挿入し、その後小孔３ｂを閉止してペニスを挿入空所内で進退させると、ゲル状樹脂から成るコア部材３０を構成する各部が弾性を発揮する一方、図６（ｃ−１）（ｃ−２）〜（ｄ−１）（ｄ−２）の段階で形成された非閉空気室Ｓの存在により、更にエアクッションとしての機能（内径方向への締め付け力）が追加されることとなる。ただ、この非閉空気室は密閉されていないか、或いは第２のリブの軽い弾性力で開放可能に閉止されているに過ぎないため、第２のリブが安全弁として機能して空所内の圧力が所定値を越えて高まることを防止する。この所定値は、第２のリブの突出長（容器本体内面との間の間隔）、弾性変形能力（厚さ、形状、硬度）などによって決定される。
即ち、小孔３ｂを閉じた状態でペニスを先端側へ押し込むと、第１のリブ４０が容器本体内面と密着することにより、コア本体外周面、及び第２のリブ５０との間で非閉空気室Ｓを形成する。非閉空気室Ｓはエアクッションとしての機能を発揮してペニスに対する適度な加圧力を生成する一方で、内圧が所定以上に上昇しようとすると内部の空気が第２のリブ５０と容器本体内壁との間の隙間を経て隣接する非閉空気室Ｓ側へ流動する。このため、非閉空気室の内圧が過大になることが防止され、ペニスに対する加圧力が過剰になることを防止できる。
仮に、非閉空気室によるエアクッションによる締め付け力が過大であると感じた場合には適宜小孔３ｂから適量ずつ抜気することにより、容器本体全体の内圧を適正に低下させる微調整が可能である。
なお、小孔の閉鎖時には、くびれ部３Ｃをペニスが後方へ通過する際にくびれ部によって圧縮方向へ加圧されるので、バキュームによる吸着効果に加えてこの加圧力によって吸着効果を更に高めることができる。
【００２６】
（第１の実施形態に特徴的な効果）
以上の構成を備えた射精促進具、射精促進装置によれば、次のような効果を得ることができる。
ペニス挿入時に挿入空所内の空気圧が上昇することによってコア本体が必要以上に膨張すると、ペニスとコア本体内壁との接触圧力が低下してペニス側の感度を低下させる虞がある。また、ペニスの外径に比して挿入空所（容器）の内径が大きい場合にも同様の問題が起きる。このような問題を防止するには、コア本体と容器本体との間に小容積の複数の空気室を形成してクッション作用（ペニスへの加圧作用）を発生させることが有効である。空気室は、コア本体の外周面に対して内径方向への加圧力（外径方向への膨張規制力）を与えることができるからである。従来、コア本体外周面から突設したリブを網状に交差させて容器内面との間で気密空所を形成することにより、リブの弾発力と気密空所によるエアクッションによって、ペニス挿入、摺擦操作時にコア本体が必要以上に外径方向へ膨張して、ペニスに対する刺激、加圧力を低下させる不具合を防止していた。
しかし、挿入空所からペニスを離脱させない限り抜気することができない従来の気密空所は、挿入空所内のペニスから受ける圧力に比例した強い圧力を生成してコア本体を収縮させる方向に作用するため、コア本体からペニスに対する圧力が過剰となり、痛みを生じさせたり、ペニスの感度を悪化させる原因となっていた。
【００２７】
本発明では、軸方向（軸方向に対して傾斜した方向を含む）に延びる複数の第１のリブ４０間に形成される流路Ｆ内に、第１のリブよりも突出長の短い（或いは、弾性変形が容易な）空気抵抗部材（第２のリブ）５０を、流路の長手方向に沿って断続的に複数個配置した。このため、ペニス挿入時（ペニスを挿入空所３５内壁に沿ってコア本体先端に向けて移動する時）に、コア本体が膨張することにより、第１のリブにより流路が形成される一方で、空気抵抗部材５０は流路内を空気が先端に向けて移動する際の抵抗となる。このため、流路を構成する隣接する２つの第１のリブと、当該流路内に配置された隣接する２つの空気抵抗部材（第２のリブ５０）との間に形成される非閉空気室内の内圧が一時的に高まり、エアクッション（内径方向への加圧力）として機能する。
一方、空気抵抗部材としての第２のリブ５０は流路に沿った空気の移動を完全には阻害しない構成であるため、非閉空気室Ｓの内圧が所定値を越えると自動的に抜気が行われて内圧が低下する。
このため、空気抵抗部材は非閉空気室からの抜気を許容する安全弁として機能し、非閉空気室内に溜まろうとする空気はペニスからの一定以上の押圧力により当該空気抵抗部材を越えて下流側へ移動する。つまり、ペニスからの圧力により非閉空気室が圧縮されることにより、非閉空気室内に溜ることによりエアクッションとして機能していた空気の一部は非閉空気室から排出されて次の下流側の非閉空気室に移行してゆく。
【００２８】
ペニスが挿入されてコア部材が膨張した時に、空気抵抗部材５０と容器本体内壁との間の間隔（隙間）は狭くなるか、或いは軽い力で接触した状態となる。このため、一つの流路内において隣接する２つの空気抵抗部材によって形成される非閉空気室Ｓ内の空気圧は一時的に高まるが、一定圧力を超えると空気抵抗部材を越えて空気が下流側に移動し、最後には容器本体先端に小孔（抜気孔）３ｂから流出する。このため、上記非閉空気室の圧力が過大となることがなく、ペニスに対する過剰な加圧力が作用することを防止できる。
このように流路内に気密空所を形成しない代わりに、抜気機能を備えた非閉空気室を形成する構成としたため、容器内におけるコア部材の外径方向への膨張時には非閉空気室がエアクッション効果を発揮する一方で、加わる圧力に応じてスムーズに減圧する構造の非閉空気室からペニスに対して過剰な負荷が加わることがなくなる。特に、クッション性を有したエラストマー製のコア部材が備えたリブによって、コア部材外面と容器内壁との間に複数の非気密空間を形成し、この非密閉空間のクッション作用を利用してペニスに対する過剰な締め付けが発生しないようにしたので摺擦操作中にソフトな感覚を得ることができる。
また、摺擦動作の度に非閉空気室内の空気が一部漏れて圧力、刺激が変化する。抜き差しのたびに圧力、刺激が変化するので、変化のある刺激を提供できる。また、任意に、圧力と、バキュームによる密着感が調整できる。
更に、容器適所に設けた小孔を指により閉じたり開放する操作を併用して摺擦操作を行うことにより、小孔を閉じることにより容器内の内圧が高くなっても、ペニスに加わる圧力を調整することができ、刺激を多様に変化させることができる。
このため、健常者は勿論、健常な青年男子に比べて刺激に弱い老人、身体障害者等がこの種の採取装置を使用する場合であっても、本人に適した必要最低限の刺激を与えて採取目的を達成できる。
第２のリブは短尺、薄肉な構造でもよいため、高価なゲル状樹脂の使用量を減少し、製造コストを低下させることができる。
なお、上記効果は以下の他の実施形態についても共通するものである。
【００２９】
＜第２の実施形態＞
図７は本発明の第２の実施形態に係る射精促進具の要部構成説明図であり、（ａ）は正面図、（ｂ）は上面図、（ｃ）は底面図、（ｄ）（ｅ）は何れも斜視図、（ｆ）はＡ−Ａ’断面図である。左右側面図、及び背面図は正面図とほぼ同等に現れるため図示を省略する。なお、第１の実施形態と同一部分には同一符号を付して説明する。
この実施形態に係る射精促進具３０は、コア本体の外周面に、複数の細幅帯状の第１のリブ４０が軸方向とほぼ並行に直線状に延びている構成において第１の実施形態と相違している。
第１のリブ４０は、コア本体３１の長手方向に沿って延びることにより、コア本体の膨張時に、第１のリブ間に長手方向へ延びる流路Ｆを形成することができれば、どのような形態であってもよい。
個々の流路Ｆ内には空気流の抵抗となる第２のリブ（空気抵抗部材）５０を配置することにより、非閉空気室Ｓが形成されたときに第２のリブの抜気作用によって非閉空気室内の空気圧を適宜調整できるように構成している点も第１の実施形態と同様である。
本例では小径部（くびれ部）３Ｃを有した容器本体３の形状に合わせてコア部材３０も長手方向中間部に小径部（くびれ部）を設けているが、容器本体をストレート形状（寸胴形状）とした場合にはコア部材も略寸胴形状とする。
【００３０】
次に、図８は本発明の第２の実施形態の変形例に係る射精促進具の要部構成説明図であり、（ａ）は正面図、（ｂ）は上面図、（ｃ）は底面図、（ｄ）（ｅ）は何れも斜視図、（ｆ）はＡ−Ａ’断面図である。左右側面図、及び背面図は正面図とほぼ同等に現れるため図示を省略する。なお、第１の実施形態と同一部分には同一符号を付して説明する。
この実施形態に係る射精促進具が図７の射精促進具と異なる点は、先端部と後端部を除いた全体形状が略寸胴状である点である。
この実施形態に係る射精促進具３０は、第１のリブ４０が軸方向とほぼ並行に直線状に延びている構成において図７の実施形態と同じであるが、軸方向中央部に小径部（くびれ部）が存在しない点が異なっている。この射精促進具に対して使用する容器としては、長手方向中央部にくびれ部を有しない寸胴タイプが適している。
上記以外の構成では、図７の実施形態と変わるところがない。
従って、コア本体３１が所定以上に膨張した時には各第１のリブ４０間に流路Ｆが形成され、流路内の第２のリブ５０間には非閉空気室Ｓが形成される。
非閉空気室Ｓは、ペニスの挿入によりコア部材３１が所定以上膨張した場合には内圧が高まるためにエアクッション作用によりペニスに対する加圧力を生成する。一方、第２のリブは短尺であったり、その他の工夫をすることにより、非閉空気室の内圧が所定値を越えたときに抜気用のバルブとして機能する。
このため、ペニスに対して過大な負荷が加わることを防止することができる。
【００３１】
＜第３の実施形態＞
図９（ａ）及び（ｂ）は本発明の第３の実施形態に係る射精促進具３０の要部構成説明図（正面腰部拡大図）である。
図９（ａ）の実施形態では第１のリブ４０のみにより流路Ｆ、及び非閉空気室Ｓを形成するようにしている。
即ち、図９（ａ）の実施形態では第１のリブ４０を波形状（或いはジグザグ形状）とし、且つ隣接し合う２つの第１のリブ同志は線対象となるように構成されている。
このため、コア本体の膨張時には、隣接する２つの第１のリブの接近部（空気抵抗部材）４０ａ同志の間で抜気用の隙間４０Ａを形成し、２つの隣接する離間部４０ｂ間に非閉空室Ｓとなる空間４０Ｂを形成する。
隙間４０Ａは、コア本体３１が膨張した時に空間４０Ｂ内に形成される非閉空気室Ｓ内の空気を各流路Ｆに沿って排出させ得るようにしている。
近接部４０ａの肉厚を離間部４０ｂの肉厚よりも薄くして弾性変形し易くしたり、近接部４０ａの突出長（コア本体周面からの突出長）を離間部４０ｂの突出長よりも短くすることにより、抜気性を確保するようにしてもよい。
【００３２】
次に、図９（ｂ）の実施形態では、コア部材３０の軸方向と並行、且つ直線状に延びる各第１のリブ４０の対向する内壁間にまたがるように第２のリブ（空気抵抗部材）５０を配置（突出）すると共に、第２のリブ５０の適所に貫通穴５０ａを形成することにより、コア部材の膨張時にこの貫通穴５０ａが抜気用、通気用の隙間５０Ａを形成するようにしている。この例では、第１のリブと第２のリブは同等の突出長であるが、第２の突出長を短くすることにより、抜気性を高めると共に、ゲルの使用量を減少させるようにしてもよい。
この実施形態では、隣接する第２のリブ５０間に非閉空気室Ｓが形成される。
この構成によれば、コア本体３１が膨張した時に第２のリブ５０間に形成される非閉空気室Ｓ内の空気を、隙間５０Ａから排出させることができる。
【００３３】
＜本発明の構成、作用、効果のまとめ＞
第１の本発明に係る射精促進具３０は、少なくとも軸方向一端面が開口した容器本体３内に収容され、軸方向一端面の挿入口３３から内部に延びる挿入空所３５を有したゲル状樹脂製の射精促進具であって、挿入口、及び挿入空所を備えたコア本体３１と、該コア本体の外周面に所要の間隔を隔てて突設されて互いに略並行に延びる複数の第１のリブ４０と、を備え、各第１のリブは、少なくともコア本体の膨張時には容器本体内壁と接触して隣接する第１のリブとの間に軸方向、又は、軸方向に対して傾斜した方向へ延びる流路Ｆを形成し、流路内には、コア本体の外径の膨張時に、空気の移動に対する抵抗となりつつ該流路に沿った空気の通過を許容する空気抵抗部材５０（凸部４０ａ）が配置されていることを特徴とする。
また、第２の本発明に係る射精促進具３０では、空気抵抗部材５０は、コア本体の外周面に所要の間隔を隔てて突設されて前記第１のリブと交差する複数の第２のリブ５０であることを特徴とする。
空気抵抗部材（その一例としての第２のリブ５０）は、流路Ｆ内における空気の流動性を妨げる手段であるが、空気の流動を完全に阻止する手段ではない。空気抵抗部材の突出長を第１のリブの突出長よりも短くしたり、突出長が同じでも第１のリブよりも薄肉化する等により弾性変形し易くすることにより、容器本体内壁に接触した時に第１のリブとの協働により密閉空間を常時形成しないように構成している。或いは、一時的に密閉空間を形成しても、内圧の上昇により当該空間（非閉空気室）が直ちに開放されるように空気抵抗部材（第２のリブ）を構成する。
各第１のリブと第２のリブとは、網目状に交差するように構成してもよいが、流路内に空気抵抗をもたらす第２のリブが配置されていれば網目状でなくてもよい。
【００３４】
本発明によれば、リブの存在により、コア本体外周面と容器本体内壁との間にエアクッションとなる非閉空気室が形成されるため、密閉空間が形成される場合に比して、ペニス摺擦のための操作中における刺激の過剰化を防止して、健常者は勿論、健常な青年男子に比べて刺激に弱い老人、身体障害者等がこの種の射精促進装置を使用する場合であっても、本人に適した最適、且つ必要十分な刺激を与えて射精（精子採取）という目的を達成することができる。
複数の非閉空気室内の空気が緩衝部（エアクッション部）、或いは弾性部、反発部を形成し、ペニスに対する締め付け圧を生み出している。また、締め付け圧が過剰となった時には第２のリブと容器本体との間の隙間から空気が流出するため、締め付け圧が過剰となることによる操作性の低下、違和感の発生、利用者の感度の低下等を防止することができる。
また、コア部材外周面と容器本体内壁との間にエアクッションとなる密閉空間が形成された場合には、ペニスに加わる空気圧力が過大であることにより、健常な青年男子に比べて刺激に弱い老人、身体障害者等がこの種の採取装置を使用する場合に、本人に適さない強い刺激を与えて射精促進、精子採取という目的を達成できなくなる虞がある。
【００３５】
本発明では、流路Ｆ中に沿って複数個配置した第２のリブ５０を、流路中を移動する空気の抵抗となるように構成し、且つ、第２のリブが空気の移動を完全には妨げないように構成した。つまり、コア部材の膨張時に第１及び第２のリブと容器本体内面との間に形成される空間を非閉空気室（不完全な密閉空間）とすることにより、過剰な加圧力がコア部材内のペニスに作用することがないようにした。
即ち、この射精促進装置の使用に当たっては、キャップ５を外して挿入口３３からペニスを挿入するのであるが、挿入によってコア本体が膨張し、第１のリブ４０の外側端縁が容器本体内壁に密着（圧接）するため、各第１のリブ４０とコア本体外周面と容器本体内壁との間に複数の流路Ｆが形成される。この流路Ｆはコア本体の外周面全体にわたって均一に形成されるため、外面全体に対して均一にエアクッションとしての機能を発揮させることができる。また、このエアクッションを発生させる空気圧は一定ではなく、ペニスからの圧力によって空気が第２のリブを乗り越えて流動するために増減する。従って、ペニスに対して過剰な加圧力が加わることを防止できる。弾力のある圧力、締め付けは密着感をもたらす。
【００３６】
コア部材を構成するゲル状樹脂は高価であるために、製品価格を低価格化するためにはゲル状樹脂の使用量を減少させることが求められるが、本発明によれば第２のリブを構成する材料の使用量を第１のリブに比して大幅に低減できるので、コスト低減効果がある。ゲル状樹脂の使用量を減らしながらも、特許文献１の精子採取装置と同等のエアクッション効果を発揮しつつ、特許文献１の欠点であるペニスへの過剰な加圧という問題を解消することができる。第２のリブは第１のリブを補強する役割も果たしている。
また、空気抵抗部材の使用材料を第１のリブよりも減少させているため、コア部材全体の体積が減少し、コア部材を容器に出入れする作業が容易となる。このため、使用後に洗浄してから再度容器内に装着して再使用するという繰り返しが可能となり、経済的となる。
単純な形状の容器を使用しながらも、コア部材の形状を工夫することにより、内部のペニスに加わる圧力を調整して刺激を変化させることができる。
【００３７】
第３の本発明に係る射精促進具３０では、各第１のリブ４０は、コア本体３１の軸方向、又は該軸方向に対して傾斜した方向へ延びることを特徴とする。
軸方向に対して傾斜した方向とは、軸方向と並行な方向以外の方向を意味する。
軸方向に対して傾斜した方向とは、螺旋状を含むものである。
第１のリブを螺旋状に構成することにより、コア部材を螺旋に沿って捻った時に外径を縮小することができるため、容器本体内への挿入作業が容易になる。挿入後は、コア部材の復元力により原形に復帰する。特に、容器本体の内径が狭い場合には、このような螺旋構造とすることにより挿入作業が容易となる。
なお、第１リブの形状は直線状、湾曲線状に限らず、それ以外の種々の形態であってもよい。例えば、ジグザグ状、波形、不規則形状等、種々の形態を想定することができる。
第４の本発明に係る射精促進具は、隣接し合う前記第１のリブ間の間隔は、前記挿入口を設けた一端面とは反対側の端面側において最も狭くなっていることを特徴とする。
隣接する２つの第１のリブ間には軸方向、軸方向に対して傾斜、又は湾曲した方向へ延びる流路が形成されるが、ペニスの挿入方向先導側の流路終端部を上流側よりも狭くしたので、流路終端部で流路内の空気流が停滞し易くなり、ペニスを挿入した時の流路内の内圧の低下を遅延させて非閉空室内の空気圧が容易に（充分なエアクッション効果を発揮できずに）低下してしまうことを防止することができる。
【００３８】
第５の本発明に係る射精促進具では、第空気抵抗部材のコア本体外周面からの突出長は、第１のリブの突出長よりも短いことを特徴とする。
空気抵抗部材の突出長を短尺とすることにより、使用材料であるゲル状樹脂を減少して製造コストを低下させることができる。
第６の本発明に係る射精促進装置は、前記射精促進具と、軸方向一端面の開口内に前記該射精促進具を収容する容器本体と、を備えたことを特徴とする。
第７の本発明に係る射精促進装置は、容器本体の外周面の少なくとも一部に小径部を設けたことを特徴とする。
小径部を設けた場合には、コア部材内のペニスとくびれ部との間の圧力によりコア部材が容器側に保持されるため、コア部材が容器本体の開口側に位置ズレしたり、開口から抜け出ることを防止できる。また、ペニスが小径部を通過する際に大径部を通過する時よりも強い刺激を受けることができるが、エアクッションとの兼ね合いにより過大な刺激にならないように第２のリブが安全弁として機能し、適正な圧力を維持する。
【００３９】
第８の本発明に係る射精促進装置は、容器本体に抜気用の穴３ｂを設けたことを特徴とする。
ペニスを挿入空所３５内で摺擦するに際しては、容器本体に設けた抜気用の穴（小孔）３ｂを指で塞ぎながら操作を実施することにより容器本体内の内圧が高まり、適度な加圧感と、バキューム感（吸着感）を得ることができる。
抜気用の穴を開放した状態では、コア部材を構成するゲル状樹脂本来の柔軟性、弾力性を活用した刺激を得ることができる。つまり、抜気用の穴を開放した状態では、コア部材と容器との間の空気が容器外部に逃げるので、ペニスに押されてコア部材は拡大縮小するだけとなる。一方、抜気用の穴を塞いだ状態では、容器内の内圧を一定とすることができるので、コア部材をペニスに吸着させるバキューム感を得ることができ、射精促進という目的を達成し易くなる。
つまり、抜気用の穴を開放したり、閉止することにより、容器内の圧力調整ができるため、ペニス挿入時、摺擦時の感触が異なったものとなり、射精を促進することができる。
これを更に詳述すると、抜気用の穴を開放した状態でコア部材内にペニスを挿入するが、挿入が進むにつれてコア本体が先端に向けて順次膨張してゆくため、第１のリブ４０が後部側から先端側へ向けて徐々に容器内壁に接してゆく。この過程で、第２のリブ５０も容器内壁に接近してゆく。コア本体の膨張によって流路Ｆ内の空気の流れは先部に向かうが、第２のリブによって滞り、第２のリブ間に形成される非閉空気室Ｓ内の空気圧が高まる。しかし、非閉空気室内の圧力は、ペニスからの圧力の変動に応じてスムーズに増減する。つまり、ペニスからの圧力が高まれば非閉空気室内の空気は徐々に抜けて流路に沿って移動する。
【００４０】
抜気用の穴３ｂを開放した状態でペニスを挿入空所内に押し込むと、押圧された空気が抜気用の穴から容器外へ抜けるため、抜気用の穴を閉じた場合よりはコア部材の弾力性を活かすことができる。また、コア部材の弾力性のみでなく、非閉空気室内の空気の圧力を利用したエアクッション効果を発揮して、ペニスを過剰に刺激することなく圧力を高めることができる。つまり、ペニスがコア部材の先部に向かう過程で徐々に軸方向に非閉空気室が形成されてゆき、空気の圧縮を利用したクッション性が生まれてゆきながら余分な空気は容器外へ排出されてゆく。なお、非閉空気室はペニスの移動方向手前から順次形成されるが、順次潰れてゆき、抜けた空気が下流側の空気室を形成してゆく。
空気室が密閉空間である場合には、密閉空間から得られるエアクッションは、空気を満杯にした風船、或いはボールから得られる硬質の接触感をもたらし、射精促進という目的を達成し難くなる。
【００４１】
＜本出願人が関与している医学的な研究例＞
本出願人が大学や病院等の医学的な研究機関との提携で、２０１４年１０月現在、実施している医学的な研究例として以下の実例を挙げる。
１．獨協医科大学越谷病院泌尿器科にて、本出願人の製品である射精促進装置を用いて精子採取実験を行っている。
これは、射精促進装置を用いた場合と、手による射精行為によった場合とで、何れの方がより良好な精子を採取できるかの実験、研究である。
本出願人の製品である射精促進装置、ＴＥＮＧＡ（登録商標、ディープスロート・カップ）を使って採取した精子と、普通に手を使って射精した精子を比較研究した。被験者は、２０名。
精子の質、量を見るのみならず、マウスの卵に人の精子を受精させ、初期分裂の具合をも比較する。
２０１４年１０月末には研究終了予定。中間の経過報告では、かなり良い結果が得られているとのこと。
２．スペイン性機能クリニックのロドリゲス氏（臨床心理士、性科学者）による早漏リハビリ研究  http://www.isemu.es/index.html 
早漏患者に対し本出願人の製品である射精促進装置を使用して射精させたところ改善が見られたので、より本格的な射精促進装置である、FLIP  HOLE＼フリップホール（登録商標）で被験者２０名に対して６週間に渡り実験を実施した。
結果は、国際性科学会雑誌に論文として投稿予定。
３．シンガポールのGleneagles病院  Lim教授の早漏リハビリ研究（現在進行中）
http://gleneagles.com.sg/DoctorsCV/Urology/Dr-Lim-Huat-Chye-Peter?speciality=UROLOGY
早漏スコア最高点の人を対象に、射精促進装置（登録商標、TENGA）でリハビリ治療した場合と、治療薬を使った場合との効果を比較研究する。
実験期間は３か月であり、２０１４年１０月の時点で進行中である。
【符号の説明】
【００４２】
１…射精促進装置、２…容器、３…容器本体、３Ａ、３Ｂ…大径部、３Ｃ…小径部、３ａ…他端部、３ｂ…小孔（抜気用の穴）、４…開口部、１０…係止部材、１０ａ…凸部、３０…コア部材（射精促進具）、３１…コア本体、３３…挿入口、３５…挿入空所、３７…フランジ、３７ａ…第１のフランジ、３７ｂ…第２のフランジ、３７ｃ…凹所、３９…襞等、４０…第１のリブ、４０ａ…接近部（空気抵抗部材）、４０ｂ…離間部、４０Ａ…隙間（空気抵抗部材）、４０Ｂ…空間、５０…第２のリブ（空気抵抗部材）、５０ａ…貫通穴、５０Ａ…隙間、Ｆ…流路、Ｓ…非閉空室。
【図１】
2016067333.tif 000003
【図２】
2016067333.tif 000004
【図３】
2016067333.tif 000005
【図４】
2016067333.tif 000006
【図５】
2016067333.tif 000007
【図６】
2016067333.tif 000008
【図７】
2016067333.tif 000009
【図８】
2016067333.tif 000010
【図９】
2016067333.tif 000011
【国際調査報告】
2016067333.tif 000012
2016067333.tif 000013
2016067333.tif 000014
2016067333.tif 000015